(57)【特許請求の範囲】
【請求項１】
コネクタハウジングであって、
上部ハウジング部と、
前記上部ハウジング部より下に位置する下部ハウジング部と、
前記上部ハウジング部と前記下部ハウジング部によって区画される内部空間に位置して前記内部空間を少なくとも四つの挿入ポートに仕切る少なくとも三つの仕切り部材を備え、
前記少なくとも三つの仕切り部材の内の少なくとも一対の仕切り部材は、接続板を介して互いに接続されて略「凵」形状にフレーム部品を形成し、
前記接続板は、前記下部ハウジング部の底部の対応する位置に重ねられる、
コネクタハウジング。
【請求項２】
前記少なくとも三つの仕切り部材の内の一つの仕切り部材は前記下部ハウジング部と一体に形成され、前記略「凵」形状の前記フレーム部品は個別の部材である、
請求項１に記載のコネクタハウジング。
【請求項３】
前記上部ハウジング部と前記下部ハウジング部は、単一の部品を湾曲することによって一体的に形成される、
請求項２に記載のコネクタハウジング。
【請求項４】
前記仕切り部材の各々は、前記コネクタハウジングを取り付けるための回路基板に差し込まれるピンを有する、
請求項３に記載のコネクタハウジング。
【請求項５】
前記上部ハウジング部は、
前記コネクタハウジングの頂壁を形成するように構成される第１の上部ハウジング部と、
前記コネクタハウジングの一対の側壁を形成するように構成される一対の第２の上部ハウジング部と、
前記コネクタハウジングの後端壁を形成するように構成される第３の上部ハウジング部を備える、
請求項４に記載のコネクタハウジング。
【請求項６】
前記下部ハウジング部は、前記コネクタハウジングの底壁を形成するように構成され、
前記下部ハウジング部は、前記上部ハウジング部の前記一対の側壁と夫々接続される第１の下部ハウジング部と第２の下部ハウジング部を含み、
前記第１と第２の下部ハウジング部の一方は、一つの仕切り部材と接続される、
請求項５に記載のコネクタハウジング。
【請求項７】
前記コネクタハウジングの一対の側壁を形成するように構成される前記一対の第２の上部ハウジング部は、前記回路基板に差し込まれるピンを有する、
請求項６に記載のコネクタハウジング。
【請求項８】
前記コネクタハウジングは、全体として、単一片のブランク板から形成される、
請求項７に記載のコネクタハウジング。
【請求項９】
前記単一片のブランク板は、一回の打ち抜き加工処理によって整形される、
請求項８に記載のコネクタハウジング。
【請求項１０】
前記コネクタハウジングは、前記内部空間を四つの挿入ポートに仕切るように構成される三つの仕切り部材を備え、
前記三つの仕切り部材の内の二つの仕切り部材は、前記略「凵」形状の前記フレーム部品として形成され、
前記三つの仕切り部材の内の残りの一つの仕切り部材は、前記下部ハウジング部と一体的に形成される、
請求項１に記載のコネクタハウジング。
【請求項１１】
前記コネクタハウジングは、前記内部空間を五つの挿入ポートに仕切るように構成される四つの仕切り部材を備え、
前記四つの仕切り部材は、前記略「凵」形状の二つのフレーム部品として形成される、
請求項１に記載のコネクタハウジング。
【請求項１２】
前記コネクタハウジングは、前記内部空間を六つの挿入ポートに仕切るように構成される五つの仕切り部材を備え、
前記五つの仕切り部材の内の二対の仕切り部材は、前記略「凵」形状の二つのフレーム部品として形成され、
前記五つの仕切り部材の内の残りの一つの仕切り部材は、前記下部ハウジング部と一体的に形成される、
請求項１に記載のコネクタハウジング。
【請求項１３】
前記コネクタハウジングはＮ個の挿入ポートを有し、Ｎは４以上の偶数であり、
前記コネクタハウジングは（Ｎ−１）個の仕切り部材を備え、
（Ｎ／２−１）個の対の（Ｎ−１）個の仕切り部材は、前記略「凵」形状の（Ｎ／２−１）個のフレーム部品として形成され、
前記（Ｎ−１）個の仕切り部材の内の残り一個の仕切り部材は、前記下部ハウジング部と一体的に形成される、
請求項１に記載のコネクタハウジング。
【請求項１４】
前記コネクタハウジングはＮ個の挿入ポートを有し、Ｎは５以上の奇数であり、
前記コネクタハウジングは、（Ｎ−１）／２個のフレーム部品を形成するように構成される（Ｎ−１）個の仕切り部材を備える、
請求項１に記載のコネクタハウジング。
【発明の詳細な説明】
【関連出願の相互参照】
【０００１】
本願は、中華人民共和国国家知識産権局に２０１４年６月１７日に出願された中国特許出願第２０１４１０２６９５４６．７の利益を主張し、この全開示は、参照によって本書に組み入れられる。
【技術分野】
【０００２】
本発明の実施形態は、外部遮蔽のためのコネクタハウジング、特に、複数の挿入ポートを有する外部遮蔽のためのコネクタハウジングに関する。
【背景技術】
【０００３】
図１は、従来のコネクタハウジングの分解された概略図を示し、図２は、従来のコネクタハウジングの組み付けられた概略図を示す。
【０００４】
図１及び図２に示されるように、従来のコネクタハウジングは、一般に、上部ハウジング部１０、下部ハウジング部２０及び複数の仕切り部材３０を備えている。
【０００５】
従来の技術において、図１及び図２に示されるように、上部ハウジング部１０、下部ハウジング部２０及び仕切り部材３０は、互いから分離される個別の部材であり、各仕切り部材３０もまた、個別の仕切り部材である。
【０００６】
全体では、図、図、１×Ｎ（Ｎは、１よりも大きな整数である）個の挿入ポートを有するハウジングに関して、個別の仕切り部材の数は、（Ｎ＋１）個であり、すなわち、多すぎる数の仕切り部材がある。
【０００７】
そのコネクタハウジング（コネクタケージ又はコネクタの遮蔽ハウジングとも名付けられる）は、互いから分離される上部ハウジング部１０、下部ハウジング部２０及び複数の個別の仕切り部材３０を一層に有し、複数ポート構成が形成される。このコネクタハウジングは、構造強度が弱く、従って、一体的に割れる傾向がある。更に、コネクタハウジングの各ポートは、平行四辺形構成を有し、平行四辺形を形成する４つの側壁は、別々の４つの部品構成を構成するので、平行四辺形効果すなわちコネクタハウジングのポートがコネクタハウジングの二つの側部へ向かって揺動することを示す。また、コネクタハウジングを組み付けるための部材の嵌め込み寸法を制御することは困難である。これらの要因は、コネクタハウジングのポートの寸法を確保できなくし、次に、コネクタハウジングのポートの寸法を不良状態にする。加えて、ラバー遮蔽リングは、コネクタハウジングのポートに形成され易い鋭い突起によって引っ掻かれる可能性がある。
【０００８】
更に、コネクタハウジングの製造中に、互いに分離されている上部ハウジング１０、下部ハウジング部２０及び仕切り部材３０を一体に組み付けるための複雑なステップを必要とし、製造効率が低く、且つ効率的な自動機械加工処理を実現することが困難である。
【発明の概要】
【発明が解決しようとする課題】
【０００９】
コネクタハウジングを構成する個別の部材の数を減少させるコネクタハウジングを提供することが有利である。
【００１０】
また、高い強度と変形不能ポートを有するコネクタハウジングを提供することが有利である。
【課題を解決するための手段】
【００１１】
本発明の一態様によれば、上部ハウジング部と、
前記上部ハウジング部より下に位置される下部ハウジング部と、
前記上部ハウジング部と前記下部ハウジング部によって区画される内部空間に位置されて前記内部空間を少なくとも四つの挿入ポートに仕切る少なくとも三つの仕切り部材を備えるコネクタハウジングであって、
前記少なくとも三つの仕切り部材の内の少なくとも一対の仕切り部材は、接続板を介して互いに接続されて略「凵」形状にフレーム部品を形成し、
前記接続板は、前記下部ハウジング部の底部に対応する位置に重ねられるコネクタハウジングを提供する。
【００１２】
本発明の一実施形態によれば、前記少なくとも三つの仕切り部材の内の１つの仕切り部材は、前記下部ハウジング部と一体的に形成され、前記略「凵」形状の前記フレーム部品は、個別の部材である。
【００１３】
本発明の一実施形態によれば、前記上部ハウジング部と前記下部ハウジング部は、単一の部品を湾曲することによって一体的に形成される。
【００１４】
本発明の一実施形態によれば、前記仕切り部材の各々は、前記コネクタハウジングを取り付けるための回路基板に差し込まれるピンを有する。
【００１５】
本発明の他の一実施形態によれば、前記上部ハウジング部は、前記コネクタハウジングの頂壁を形成するように構成される第１の上部ハウジング部と、前記コネクタハウジングの一対の側壁を形成するように構成される一対の第２の上部ハウジング部と、前記コネクタハウジングの後端壁を形成するように構成される第３の上部ハウジング部を備える。
【００１６】
本発明の他の一実施形態によれば、下部ハウジング部は、前記コネクタハウジングの底壁を形成するように構成され、前記下部ハウジング部は夫々、前記上部ハウジング部の前記一対の側壁に接続される第１の下部ハウジング部と第２の下部ハウジング部を含み、前記第１と第２の下部ハウジング部の内の一方は一つの仕切り部材と接続される。
【００１７】
本発明の他の一実施形態によれば、前記コネクタハウジングの一対の側壁を形成するように構成される前記一対の第２の上部ハウジング部の両方は、前記回路基板に差し込まれるピンを有する。
【００１８】
本発明の他の一実施形態によれば、前記コネクタハウジングは、単一片のブランク板から全体的に形成される。
【００１９】
本発明の他の一実施形態によれば、前記単一片のブランク板は、一回の打ち抜き加工処理によって整形される。
【００２０】
本発明の他の一実施形態によれば、前記コネクタハウジングは前記内部空間を四つの挿入ポートに仕切るように構成される三つの仕切り部材を備え、前記三つの仕切り部材の内の二つの仕切り部材は略「凵」形状に前記フレーム部品として形成され、残りの仕切り部材は、前記下部ハウジング部と一体に形成される。
【００２１】
本発明の他の一実施形態によれば、前記コネクタハウジングは前記内部空間を五つの挿入ポートに仕切るように構成される四つの仕切り部材を備え、前記四つの仕切り部材は前記略「凵」形状の二つのフレーム部品として形成される。
【００２２】
本発明の他の一実施形態によれば、前記コネクタハウジングは、前記内部空間を六つの挿入ポートに仕切るように構成される五つの仕切り部材を備え、前記五つの仕切り部材の内の二対の仕切り部材は、前記略「凵」形状の二つのフレーム部品として形成され、前記残りの一つの仕切り部材は、前記下部ハウジング部と一体的に形成される。
【００２３】
本発明の他の一実施形態によれば、前記コネクタハウジングは、前記内部空間を六つの挿入ポートに仕切るように構成される五つの仕切り部材を備え、前記五つの仕切り部材の内の二対の仕切り部材は、前記略「凵」形状の二つのフレーム部品として形成され、前記残りの一つの仕切り部材は、前記下部ハウジング部と一体的に形成される。
【００２４】
本発明の他の一実施形態によれば、前記コネクタハウジングは、Ｎ個の挿入ポートを備え、Ｎは５以上の奇数であり、前記コネクタハウジングは（Ｎ−１）／２個のフレーム部品を形成するように構成される（Ｎ−１）個の仕切り部材を備える。
【００２５】
本発明の上述の実施形態において、前記複数の仕切り部材の内の少なくとも一対の仕切り部材は互いに接続され個別の部品を「凵」形状に形成し、前記コネクタハウジングを形成する前記仕切り部材の総数が減少し、それによって前記コネクタハウジング全体の構造的強度が増加され得、従って、各挿入ポートの寸法精度が確実に確保される。更に、本発明のコネクタハウジングは単一片のブランク板によって形成することができるので、製造ステップと組み付けステップが減少し、製造効率が向上し、且つ製造コストが減少する。
【００２６】
本発明の他の目的及び利点は、以下において添付の図面を参照して本発明を記述することによって明瞭になり、以下は、本発明の完全な理解を与えるのを助けることもできる。
【図面の簡単な説明】
【００２７】
【図１】従来コネクタハウジングの分解された概略図を示す。
【図２】従来のコネクタハウジングの組み付けられた概略図を示す。
【図３ａ】本発明の第１の実施形態による四つの挿入ポートを有すコネクタハウジングの組み付けられた概略図を示す。
【図３ｂ】本発明の第１の実施形態による四つの挿入ポートを有すコネクタハウジングの分解された概略図を示す。
【図４】本発明の第１の実施形態による四つの挿入ポートを有すコネクタハウジングの平面の拡大された概略図を示す。
【図５】図３ａに示されるコネクタハウジングを形成するブランク板の概略図を示す。
【図６】図４に示される一対の仕切り部材によって形成されるフレーム部品の斜視の概略図を示す。
【図７ａ】本発明の第２の実施形態による五つの挿入ポートを有すコネクタハウジングの組み付けられた概略図を示す。
【図７ｂ】本発明の第２の実施形態による五つの挿入ポートを有すコネクタハウジングの分解された概略図を示す。
【図８】本発明の第２の実施形態による五つの挿入ポートを有すコネクタハウジングの平面の拡大された概略図を示す。
【図９】図７ａに示されるコネクタハウジングを形成するためのブランク板の概略図を示す。
【図１０ａ】図８に示される一対の仕切り部材によって形成されるフレーム部品の斜視の概略図を示す。
【図１０ｂ】図８に示される他の一対の仕切り部材によって形成されるフレーム部品の斜視の概略図を示す。
【図１１ａ】本発明の第３の実施形態による六つの挿入ポートを有すコネクタハウジングの組み付けられた概略図を示す。
【図１１ｂ】本発明の第３の実施形態による六つの挿入ポートを有すコネクタハウジングの分解された概略図を示す。
【図１２】本発明の第３の実施形態による六つの挿入ポートを有するコネクタハウジングの平面の拡大された概略図を示す。
【図１３】図１１ａに示されるコネクタハウジングを形成するためのブランク板の概略図を示す。
【図１４ａ】図１２に示される一対の仕切り部材によって形成されるフレーム部品の斜視の概略図を示す。
【図１４ｂ】図１２に示される他の一対の仕切り部材によって形成されるフレーム部品の斜視の概略図を示す。
【発明を実施するための形態】
【００２８】
本発明の技術的解決策が、以下において実施形態により且つ添付の図面との組合せで具体的に更に説明される。同じ又は類似の参照番号は、本記述では同じ又は類似の部品を指す。図面を参照しての本発明の実施形態の以下の説明は、本発明の一般的な発明の概念を説明することを意図しており、本発明に対する制限として解釈することはできない。
【００２９】
更に、以下の詳細な記述において、説明のために、多くの特定の細部は、本開示の実施形態の徹底的な理解を提供するために述べられる。しかしながら、一つ以上の実施形態は、これらの特定の細部無しで実施することができる。他の例では、周知の構造及びデバイスは、図面を単純化するために概略的な形態で具体化される。
【００３０】
本発明の一般的な技術概念によれば、上部ハウジング部、上部ハウジング部より下に位置する下部ハウジング部、及び上部ハウジング部と下部ハウジング部によって区画される内部空間に位置してこの内部空間を少なくとも四つの挿入ポートに仕切る少なくとも三つの仕切り部材を備え、これらの少なくとも三つの仕切り部材の内の少なくとも一対の仕切り部材は、略「凵」形状にフレーム部品を形成するように接続板を介して互いに接続され、この接続板は、下部ハウジング部の底部の対応する位置に重ねられるコネクタハウジングが提供される。
（第１の実施形態）
【００３１】
図３ａは、本発明の第１の実施形態による四つの挿入ポートを有するコネクタハウジングの組み付けられた概略図を示す。
【００３２】
図３ａに示されるように、図示の実施形態では、コネクタハウジングは、主に、上部ハウジング部３１０、下部ハウジング部３２０及び三つの仕切り部材３３０を備える。
【００３３】
図３ａに示されるように、下部ハウジング部３２０は、上部ハウジング部３１０より下に位置する。内部空間が上部ハウジング部３１０と下部ハウジング部３２０との間に区画され、これら三つの仕切り部材３３０は内部空間内に位置し内部空間をコネクタハウジングの底壁又は頂壁に平行な長手方向に並んで配置される四つの挿入ポートに仕切る。
【００３４】
図３ｂは、本発明の第１の実施形態による四つの挿入ポートを有するコネクタハウジングの分解された概略図を示す。また、図４は、本発明の第１の実施形態による四つの挿入ポートを有するコネクタハウジングの平面の拡大された概略図を示す。
【００３５】
図３ｂ及び図４に示されるように、上部ハウジング部３１０全体及び下部ハウジング部３２０全体は、図示の実施形態では、単一の部品として一体的に形成される。
【００３６】
図３ｂ及び図４に示されるように、図示の実施形態では、三つの仕切り部材３３１，３３２，３３３の内の二つの仕切り部材３３１，３３２は、上部ハウジング部３１０および下部ハウジング部３２０から分離された個別の部材であり、且つ接続板３４１を介して互いに接続されて単一の部品を形成する。
【００３７】
図６は、図４に示される一対の仕切り部材３３１，３３２によって形成されるフレーム部品の斜視の概略図を示す。
【００３８】
図３ｂ、図４及び図６に示されるように、二つの仕切り部材３３１，３３２は、接続板３４１を介して互いに接続されて略「凵」形状の断面を有するフレーム部品を形成する。このように、二つの分離された仕切り部材３３１，３３２が単一の部品を形成するように接続され、それによってコネクタハウジングを構成する仕切り部材の数が減少し且つコネクタハウジング全体の強度が向上する。
【００３９】
図３ａ、図３ｂ、図４及び図６を参照すると、接続板３４１は、図６に示されるように「凵」形状部品が上部ハウジング部３１０と下部ハウジング部３２０との間の内部空間に配置されると、下部ハウジング部３２０の内側底部の対応する位置に重ねられ、それによって、下部ハウジング部３２０の部分的な厚みが増加し、且つ下部ハウジング部３２０の部分的な強度も増加する。
【００４０】
図３ａ、図３ｂ、図４及び図６に示されるように、上部ハウジング部３１０と下部ハウジング部３２０から分離された二つの仕切り部材３３１，３３２の両方はピン３０１を有し、これらのピン３０１は下部ハウジング部３２０に形成された対応するスリットを貫通するように挿入され、コネクタハウジングを取り付けるための回路基板（図示せず）に差し込まれる。
【００４１】
図３ａ、図３ｂ及び図４を参照すると、図示の実施形態では、三つの仕切り部材３３１，３３２，３３３の内の１つの残りの仕切り部材３３３は、下部ハウジング部３２０と一体化された単一の部品として形成される。
【００４２】
図５は、図３ａ及び図３ｂに示されるコネクタハウジングを形成するためのブランク板の概略図である。
【００４３】
本発明の一実施形態において、図５に示されるように、コネクタハウジング全体の主要部品は、単一片のブランク板から形成することができ、その単一片のブランク板は、一回の打ち抜き加工処理によって整形することがでる、すなわち、上部ハウジング部３１０、下部ハウジング部３２０及び仕切り部材３３０のような、コネクタハウジングを形成する構造体は、単一片のブランク板に対して一回の打ち抜き加工処理を実行することによって一度に形成することができる。
【００４４】
図３ａ乃至図６に示される実施形態では、上部ハウジング部３１０全体、下部ハウジング部３２０全体及び仕切り部材３３３は、一体の部品として形成され、従って、製造ステップと組み付けステップを簡素化し、高度の自動化を達成し、大量生産を容易にし、且つ製造効率を向上する。一方、上部ハウジング部３１０全体、下部ハウジング部３２０全体及び仕切り部材３３３は、単一の部品として一体的に形成されるので、コネクタハウジング全体の構造的強度は非常に高く、その安定性が良好であり、従って、各ポートの寸法精度が確保される。
【００４５】
また、図３ａ乃至図６を参照すると、上部ハウジング部３１０は、コネクタハウジングの頂壁を形成するための第１の上部ハウジング部３１１、コネクタハウジングの一対の側壁を形成するための一対の第２の上部ハウジング部３１２，３１３、及びコネクタハウジングの後端壁を形成するための第３の上部ハウジング部３１４を備える。
【００４６】
また、図３ａ乃至図６を参照すると、下部ハウジング部３２０は、コネクタハウジングの底壁を形成するように構成される。図示の実施形態では、下部ハウジング部３２０は夫々、一対の第２の上部ハウジング部３１２と３１３に接続される第１の下部ハウジング部３２１と第２の下部ハウジング部３２２を備える。第１の下部ハウジング部３２１と第２の下部ハウジング部３２２は、上部ハウジング部３１０全体と一体化された単一片の部品として形成される。
【００４７】
また、図３ａ乃至図６を参照すると、図示の実施形態では、一つの仕切り部材３３３は、第２の下部ハウジング部３２２に一体的に接続され、単一の部品を形成する。
（第２の実施形態）
【００４８】
図７ａは、本発明の第２の実施形態による五つの挿入ポートを有するコネクタハウジングの組み付けられた概略図を示す。
【００４９】
図７ａに示されるように、図示の実施形態では、コネクタハウジングは、主に、上部ハウジング部４１０、下部ハウジング部４２０及び四つの仕切り部材４３０を備えている。
【００５０】
図７ｂは、本発明の第２の実施形態による五つの挿入ポートを有するコネクタハウジングの分解された概略図を示す。そして、図８は、本発明の第２の実施形態による五つの挿入ポートを有するコネクタハウジングの平面の拡大された概略図を示す。
【００５１】
図７ａ、図７ｂ及び図８に示されるように、図示の四つの仕切り部材４３１，４３２，４３３，４３４は、ピン４０１を有する。
【００５２】
図７ａに示されるように、下部ハウジング部４２０は、上部ハウジング部４１０より下に位置する。内部空間が、上部ハウジング部４１０と下部ハウジング部４２０との間に区画され、四つの仕切り部材４３０は、内部空間内に位置し、内部空間をコネクタハウジングの底壁又は頂壁に平行な長手方向へ一列に配置される五つの挿入ポートに仕切るように構成される。
【００５３】
図７ａ、図７ｂ及び図８に示されるように、図示の実施形態では、上部ハウジング部４１０全体及び下部ハウジング部４２０全体は、単一の部品として一体的に形成される。
【００５４】
図７ｂ及び図８に示されるように、図示の実施形態では、四つの仕切り部材４３１，４３２，４３３，４３４は、上部ハウジング部４１０と下部ハウジング部４２０から分離された個別の部材である。上部ハウジング部４１０と下部ハウジング部４２０から分離された二つの仕切り部材４３１，４３２は、接続板４４１を介して互いに接続されて単一片を形成し、上部ハウジング部４１０と下部ハウジング部４２０から分離された二つの仕切り部材４３３，４３４は、接続板４４２を介して互いに接続されて単一片を形成する。
【００５５】
図１０ａは、図８に示される一対の仕切り部材４３１，４３２によって形成されるフレーム部品の斜視の概略図を示す。図１０ｂは、図８に示される一対の仕切り部材４３３，４３４によって形成されるフレーム部品の斜視の概略図を示す。
【００５６】
図７ａ、図７ｂ、図８及び図１０ａに示されるように、二つの仕切り部材４３１，４３２は、接続板４４１を介して互いに接続されてフレーム部品を略「凵」形状に形成する。このように、二つの分離された仕切り部材４３１，４３２は、接続されて単一の部品を形成し、それによって、コネクタハウジングを構成する仕切り部材の数が減少し、コネクタハウジング全体の強度が向上する。
【００５７】
図７ａ、図７ｂ、図８及び図１０ａを参照すると、接続板４４１は、図１０ａに示される「凵」形状の部品が上部ハウジング部４１０と下部ハウジング部４２０との間の内部空間に配置されると、下部ハウジング部４２０の内側底部の対応する位置に重ねられる。このように、下部ハウジング部４２０の部分的な厚みを増加することができ、下部ハウジング部４２０の部分的な強度も増加することができる。
【００５８】
図７ａ、図７ｂ、図８及び図１０ｂに示されるように、二つの仕切り部材４３３，４３４は、接続板４４２を介して互いに接続されてフレーム部品を略「凵」形状に形成する。このように、二つの分離された仕切り部材４３３，４３４は、接続されて単一の部品を形成し、それによって、コネクタハウジング全体の強度が向上する。
【００５９】
図７ａ、図７ｂ、図８及び図１０ｂに示されるように、接続板４４２は、図１０ｂに示される「凵」形状の部品が上部ハウジング部４１０と下部ハウジング部４２０との間の内部空間に配置されると、下部ハウジング部４２０の内側底部の対応する位置に重ねられる。このように、下部ハウジング部４２０の部分的な厚みを増加することができ、下部ハウジング部４２０の部分的な強度も増加することができる。
【００６０】
図７ａ、図７ｂ、図８、図１０ａ及び図１０ｂに示されるように、上部ハウジング部４１０と下部ハウジング部４２０から分離される四つの仕切り部材４３１，４３２，４３３，４３４は、ピン４０１を有し、これらのピン４０１は、下部ハウジング部４２０に形成される対応するスリットを貫通するように挿入され且つコネクタハウジングを取り付けるための回路基板に差し込まれる。
【００６１】
図９は、図７ａ及び図７ｂに示されるコネクタハウジングを形成するためのブランク板の概略図である。
【００６２】
本発明の一実施形態では、図９に示されるように、コネクタハウジング全体は単一片のブランク板から形成することができ、単一片のブランク板は一回の打ち抜き加工処理によって整形することができる、すなわち、上部ハウジング部４１０、下部ハウジング部４２０及び仕切り部材４３０のようなコネクタハウジングを形成する構造体は単一片のブランク板に対して一回の打ち抜き加工処理を実行することによって一度に形成することができる。
【００６３】
図７ａ乃至図９に示される実施形態では、上部ハウジング部４１０全体と下部ハウジング部４２０全体は単一の部品として形成され、従って、製造ステップと組み付けステップを簡素化し、高度の自動化を達成し、大量生産を容易にし、且つ製造効率を向上する。一方、上部ハウジング部４１０全体、下部ハウジング部４２０全体及び仕切り部材４３０は単一の部品として一体的に形成されているので、コネクタハウジング全体の構造的強度は非常に高く、且つその安定性は良好であり、従って、各ポートの寸法精度が確保される。
【００６４】
また、図７ａ乃至図９を参照して、上部ハウジング部４１０は、コネクタハウジングの頂壁を形成するための第１の上部ハウジング部４１１、コネクタハウジングの一対の側壁を形成するための一対の第２の上部ハウジング部４１２，４１３、及びコネクタハウジングの後端壁を形成するための第３の上部ハウジング部４１４を備える。
【００６５】
また、図７ａ乃至図９を参照して、下部ハウジング部４２０は、コネクタハウジングの底壁を形成するために使用される。図示の実施形態では、下部ハウジング部４２０は、上部ハウジング部の一対の第２の上部ハウジング部４１２，４１３と夫々接続される一対の第１の下部ハウジング部４２１と第２の下部ハウジング部４２２を備える。第１と第２の下部ハウジング部４２１，４２２は、上部ハウジング部４１０全体と一体的に形成される。
（第３の実施形態）
【００６６】
図１１ａは、本発明の第３の実施形態による六つの挿入ポートを有するコネクタハウジングの組み付けられた概略図を示す。
【００６７】
図１１ａに示されるように、図示の実施形態では、コネクタハウジングは、上部ハウジング部５１０、下部ハウジング部５２０及び五つの仕切り部材５３０を主に備えている。
【００６８】
図１１ａに示されるように、下部ハウジング部５２０は、上部ハウジング部５１０より下に位置する。内部空間が上部ハウジング部５１０と下部ハウジング部５２０との間に区画され、五つの仕切り部材５３０は内部空間内に位置し、内部空間をコネクタハウジングの底壁又は頂壁に平行な長手方向に一列に配置される六つの挿入ポートに仕切るように構成される。
【００６９】
図１１ｂは、本発明の第３の実施形態による六つの挿入ポートを有するコネクタハウジングの分解された概略図を示す。そして、図１２は、本発明の第３の実施形態による六つの挿入ポートを有するコネクタハウジングの平面の拡大された概略図を示す。
【００７０】
図１１ｂ及び図１２に示されるように、上部ハウジング部５１０全体と下部ハウジング部５２０全体は、図示の実施形態では、単一の部品として一体的に形成される。
【００７１】
図１２に示されるように、図示の実施形態では、五つの仕切り部材５３１，５３２，５３３，５３４，５３５の内の四つの仕切り部材５３１，５３２，５３４，５３５は、上部ハウジング部５１０と下部ハウジング部５２０から分離された個別の部材である。上部ハウジング部５１０と下部ハウジング部５２０から分離された二つの仕切り部材５３１，５３２は、接続板５４１を介して互いに接続されて単一の部品を形成し、上部ハウジング部５１０と下部ハウジング部５２０から分離された二つの仕切り部材５３４，５３５は、接続板５４２を介して互いに接続されて単一部品を形成する。
【００７２】
図１４ａは、図１２に示される一対の仕切り部材５３１，５３２によって形成されるフレーム部品の斜視の概略図を示す。
【００７３】
図１１ｂ、図１２及び図１４ａに示されるように、二つの仕切り部材５３１，５３２は、接続板５４１を介して互いに接続されて、フレーム部品を略「凵」形状に形成する。このように、これら二つの分離された仕切り部材５３１，５３２は、接続されて単一の部品を形成し、それによって、コネクタハウジングを構成する仕切り部材の数が減少し、且つコネクタハウジング全体の強度が向上する。
【００７４】
図１１ａ、図１１ｂ、図１２及び図１４ａを参照すると、接続板５４１は、図１４ａに示される「凵」形状の部品が上部ハウジング部５１０と下部ハウジング部５２０との間の内部空間内に配置されると、下部ハウジング部５２０の内側底部の対応する位置に重ねられる。このように、下部ハウジング部５２０の部分的な厚みを増加することができ、下部ハウジング部５２０の部分的な強度も増加することができる。
【００７５】
図１４ｂは、図１２に示される他の対の仕切り部材５３４，５３５によって形成されるフレーム部品の斜視の概略図を示す。
【００７６】
図１１ｂ、図１２及び図１４ｂに示されるように、二つの仕切り部材５３４，５３５は、接続板５４２を介して互いに接続されてフレーム部品を略「凵」形状に形成する。このように、これら二つの分離された仕切り部材５３４，５３５は、接続されて単一の部品を形成し、それによって、コネクタハウジングを構成する仕切り部材の数が減少し、且つコネクタハウジング全体の強度が向上する。
【００７７】
図１１ａ、図１１ｂ、図１２及び図１４ａを参照すると、接続板５４２は、図１４ｂに示される「凵」形状の部品が上部ハウジング部５１０と下部ハウジング部５２０との間の内部空間内に配置されると、下部ハウジング部５２０の内側底部の対応する位置に重ねられる。このように、下部ハウジング部５２０の部分的な厚みを増加することができ、下部ハウジング部５２０の部分的な強度も増加することができる。
【００７８】
図１１ａ、図１１ｂ、図１２、図１４ａ及び図１４ｂに示されるように、上部ハウジング部５１０と下部ハウジング部５２０から分離された四つの仕切り部材５３１，５３２，５３４，５３５は、ピン５０１を有し、これらのピン５０１は、下部ハウジング部５２０に形成された対応するスリットを貫通するように挿入され、且つコネクタハウジングを取り付けるための回路基板に差し込まれる。
【００７９】
図１１ａ、図１１ｂ及び図１２を参照すると、図示された実施形態では、五つの仕切り部材５３１，５３２，５３３，５３４，５３５の内の一つの残りの仕切り部材５３３は、下部ハウジング部５２０と一体的に形成される。
【００８０】
図１３は、図１１ａに示されるコネクタハウジングを形成するためのブランク板の概略図である。
【００８１】
本発明の一実施形態では、図１３に示されるように、コネクタハウジング全体は単一片のブランク板から形成することができ、この単一片のブランク板は、一回の打ち抜き加工処理によって整形することができる、すなわち、上部ハウジング部５１０、下部ハウジング部５２０及び仕切り部材５３０のようなコネクタハウジングを形成する構造体は、単一片のブランク板に対して一回の打ち抜き加工処理を実行することによって一度に形成することができる。
【００８２】
図１１ａ乃至図１３に示される実施形態では、上部ハウジング部５１０全体、下部ハウジング部５２０全体及び仕切り部材５３３は単一の部品として形成され、従って、製造ステップと組み付けステップを簡素化し、高度の自動化を達成し、大量生産を容易にし、且つ製造効率を向上する。一方、上部ハウジング部５１０全体、下部ハウジング部５２０全体及び仕切り部材５３３は単一の部品として一体的に形成されるので、コネクタハウジング全体の構造的強度は非常に高く、且つその安定性は良好であり、従って、各ポートの寸法精度が確保される。
【００８３】
また、図１１ａ乃至図１３を参照すると、上部ハウジング部５１０は、コネクタハウジングの頂壁を形成するための第１の上部ハウジング部５１１、コネクタハウジングの一対の側壁を形成するための一対の第２の上部ハウジング部５２１，５１３及びコネクタハウジングの後端壁を形成するための第３の上部ハウジング部５１４を備える。
【００８４】
また、図１１ａ乃至図１３を参照すると、下部ハウジング部５２０は、コネクタハウジングの底壁を形成するために使用される。例示の実施形態では、下部ハウジング部５２０は、一対の第２の上部ハウジング部５１２，５１３と夫々接続される一対の第１の下部ハウジング部５２１と第２の下部ハウジング部５２２を備える。第１と第２の下部ハウジング部５２１，５２２は、上部ハウジング部５１０全体と一体に形成される。
【００８５】
また、図１１ａ乃至図１３を参照すると、図示の実施形態では、一つの仕切り部材５３３は、下部ハウジング部の第１の部品５２１に一体的に接続され且つそれを有する単一の部品を形成する。本発明の一実施形態によると、コネクタハウジングは、Ｎ個の挿入ポートを備え、Ｎは、４以上の偶数である。この場合、コネクタハウジングは（Ｎ−１）個の仕切り部材を備え、（Ｎ／２−１）個の対の（Ｎ−１）個の仕切り部材は略「凵」形状の（Ｎ／２−１）個のフレーム部品として形成され、残り一個の仕切り部材は、下部ハウジング部と一体的に形成される。
【００８６】
他の一つの実施形態では、コネクタハウジングは、Ｎ個の挿入ポートを備え、Ｎは、５以上の奇数である。この場合、コネクタハウジングは、（Ｎ−１）／２個のフレーム部品を形成するように構成される（Ｎ−１）個の仕切り部材を備える。
【００８７】
本発明の実施形態によるコネクタハウジングは、より少ない数の構造的な部材を有する。一般的に、コネクタハウジングでは、組み付け処理が簡素化され、自動的組み付けが容易にされる。すなわち、適切な構造設計によってコネクタハウジングを製造するコストが減少され、コネクタハウジングの高い強度と良好な安定性が達成され、コネクタハウジングの容易な設計とメンテナンスが達成される。上述の実施形態は説明することを意図しており、制限することを意図していないことを当業者は理解されよう。例えば、当業者は上記実施形態に対して多くの変更を行うことができ、且つ異なる実施形態における種々の特徴は、構成又は原理において相反することなく、互いに自由に組み合わせることができる。一般的な発明の概念の幾つかの実施形態が示され且つ説明されたが、これらの実施形態は、一般的な発明の概念の原理と精神から逸脱することなく変更されてもよいことが当業者によって理解されるべきであり、本発明の範囲は、請求項及びそれらの等価物によって定義される。
【００８８】
本明細書で使用されるように、単数で列挙され且つ語「ａ（一つの）」又は「ａｎ（一つの）」が先行する部材は、排除が明示的に示されない限り、複数の前記部材又はステップを排除しないものとして理解されるべきである。更に、本発明の「ｏｎｅ  ｅｍｂｏｄｉｍｅｎｔ（一実施形態）」を指す場合は、列挙された特徴を組み込む追加の実施形態の存在を排除するものとして解釈される意図はない。更に、明示的に反対であることが述べられない限り、特定の性質を有する一つの部材又は複数の部材を「ｃｏｍｐｒｉｓｉｎｇ（備える）」又は「ｈａｖｉｎｇ（有する）」実施形態は、その性質を有さない追加のそのような部材を含むことが可能である。
【図１】
0006530250.tif 000002
【図２】
0006530250.tif 000003
【図３ａ】
0006530250.tif 000004
【図３ｂ】
0006530250.tif 000005
【図４】
0006530250.tif 000006
【図５】
0006530250.tif 000007
【図６】
0006530250.tif 000008
【図７ａ】
0006530250.tif 000009
【図７ｂ】
0006530250.tif 000010
【図８】
0006530250.tif 000011
【図９】
0006530250.tif 000012
【図１０ａ】
0006530250.tif 000013
【図１０ｂ】
0006530250.tif 000014
【図１１ａ】
0006530250.tif 000015
【図１１ｂ】
0006530250.tif 000016
【図１２】
0006530250.tif 000017
【図１３】
0006530250.tif 000018
【図１４ａ】
0006530250.tif 000019
【図１４ｂ】
0006530250.tif 000020